【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
位置決定のためにＷｉ−Ｆｉアクセスポイントを選択するための方法であって、
モバイルデバイスが、複数のアクセスポイントの各々に関連する応答時間の分散の尺度を備えるデータを得ることと、
前記モバイルデバイスが、距離決定のための通信信号で用いる前記複数のアクセスポイントのうちの少なくとも１つを選択することと、前記選択することが、前記得られたデータに基づいており、前記選択された少なくとも１つのアクセスポイントが、前記複数のアクセスポイント間で、１つまたは複数の他のアクセスポイントよりも応答時間の比較的低い分散を有する、
前記モバイルデバイスが、前記選択された少なくとも１つのアクセスポイントに通信信号を送信することと、
前記モバイルデバイスが、前記選択された少なくとも１つのアクセスポイントからの、前記通信信号に対する応答信号を受信することと、
モバイルデバイスが、前記通信信号と前記通信信号に対する前記応答信号とに基づいて決定された往復時間に基づいて、前記デバイスから、前記選択された少なくとも１つのアクセスポイントまでの距離を計算することと
を備える、方法。
【請求項２】
データベースに含めるためのデータを提供することをさらに備え、前記提供することが、
前記モバイルデバイスから、１つまたは複数のアクセスポイントに複数の通信信号を送信することと、
前記１つまたは複数のアクセスポイントからの、前記複数の通信信号の各々に対する応答信号を受信することと、
前記モバイルデバイスが、前記少なくとも１つのアクセスポイントに関する情報と、割り当てられた重みと、応答時間の分散とのうちの少なくとも１つを前記データベースに含めるために提供することと
を備える、請求項１に記載の方法。
【請求項３】
前記得ることが、前記データを得るためにデータベースに問い合わせることを備える、請求項１に記載の方法。
【請求項４】
応答時間の比較的低い分散が比較的高い重みに対応し、応答時間の比較的高い分散が比較的低い重みに対応する、請求項２に記載の方法。
【請求項５】
前記情報が、前記アクセスポイントに対応する識別子、前記アクセスポイントに対応するＭＡＣアドレス、または前記アクセスポイントに対応するメーカー情報のうちの少なくとも１つを備える、請求項２に記載の方法。
【請求項６】
前記応答時間が、信号時間と処理時間とを備え、ここにおいて、応答時間の前記分散は前記処理時間の分散に起因する、請求項１に記載の方法。
【請求項７】
前記処理時間の前記分散が、標準偏差計算を使用して決定される、請求項６に記載の方法。
【請求項８】
前記計算に少なくとも部分的に基づいて、前記デバイスの位置を決定することをさらに備える、請求項１に記載の方法。
【請求項９】
位置決定のためにＷｉ−Ｆｉアクセスポイントを選択するための装置であって、
通信信号を送信および受信するように構成されたトランシーバと、
前記トランシーバに結合されたプロセッサと
を備え、
前記プロセッサは、
複数のアクセスポイントの各々に関連する応答時間の分散の尺度を備えるデータを得ることと、
距離決定のための通信信号で用いる前記複数のアクセスポイントのうちの少なくとも１つを選択することと、前記選択することが、前記得られたデータに基づいており、前記選択された少なくとも１つのアクセスポイントが、前記複数のアクセスポイント間で、１つまたは複数の他のアクセスポイントよりも応答時間の比較的低い分散を有する、
前記トランシーバを介して、前記選択された少なくとも１つのアクセスポイントに通信信号を送信することと、
前記トランシーバを介して、前記通信信号に対する応答信号を受信することと、
前記通信信号と前記通信信号に対する前記応答信号とに基づいて決定された往復時間に基づいて、前記装置から、前記選択された少なくとも１つのアクセスポイントまでの距離を計算することと
を行うように構成される、装置。
【請求項１０】
前記プロセッサが、データベースに含めるためのデータを提供するようにさらに構成され、前記提供することは、
前記トランシーバを介して、１つまたは複数のアクセスポイントに複数の通信信号を送信することと、
前記トランシーバを介して、前記１つまたは複数のアクセスポイントからの、前記複数の通信信号の各々に対する応答信号を受信することと、
前記少なくとも１つのアクセスポイントに関する情報と、割り当てられた重みと、応答時間の分散とのうちの少なくとも１つを前記データベースに含めるために提供することと
を備える、請求項９に記載の装置。
【請求項１１】
前記得ることが、前記データを得るためにデータベースに問い合わせることを備える、請求項９に記載の装置。
【請求項１２】
応答時間の比較的低い分散が比較的高い重みに対応し、応答時間の比較的高い分散が比較的低い重みに対応する、請求項１０に記載の装置。
【請求項１３】
前記情報が、前記アクセスポイントに対応する識別子、前記アクセスポイントに対応するＭＡＣアドレス、または前記アクセスポイントに対応するメーカー情報のうちの少なくとも１つを備える、請求項１０に記載の装置。
【請求項１４】
前記応答時間が、信号時間と処理時間とを備え、ここにおいて、応答時間の前記分散は前記処理時間の分散に起因する、請求項９に記載の装置。
【請求項１５】
前記処理時間の前記分散が、標準偏差計算を使用して決定される、請求項１４に記載の装置。
【請求項１６】
前記プロセッサが、前記計算に少なくとも部分的に基づいて、前記装置の位置を決定するようにさらに構成される、請求項９に記載の装置。
【請求項１７】
位置決定のためにＷｉ−Ｆｉアクセスポイントを選択するための方法であって、
モバイルデバイスが、複数のアクセスポイントの各々に関連する応答時間の分散の尺度を備えるデータを得るための手段と、
前記モバイルデバイスが、距離決定のための通信信号で用いる前記得られた複数のアクセスポイントのうちの少なくとも１つを選択するための手段と、前記選択することが、前記得られたデータに基づいており、前記選択された少なくとも１つのアクセスポイントが、前記複数のアクセスポイント間で、１つまたは複数の他のアクセスポイントよりも応答時間の比較的低い分散を有する、
前記モバイルデバイスが、前記選択された少なくとも１つのアクセスポイントに通信信号を送信するための手段と、
前記モバイルデバイスが、前記選択された少なくとも１つのアクセスポイントからの、前記通信信号に対する応答信号を受信するための手段と、
前記モバイルデバイスが、前記通信信号と前記通信信号に対する前記応答信号とに基づいて決定された往復時間に基づいて、前記デバイスから、前記選択された少なくとも１つのアクセスポイントまでの距離を計算するための手段と
を備える、デバイス。
【請求項１８】
データベースに含めるためのデータを提供するための手段をさらに備え、提供するための前記手段が、
前記モバイルデバイスから、１つまたは複数のアクセスポイントに複数の通信信号を送信するための手段と、
前記１つまたは複数のアクセスポイントからの、前記複数の通信信号の各々に対する応答信号を受信するための手段と、
前記モバイルデバイスが、前記少なくとも１つのアクセスポイントに関する情報と、割り当てられた重みと、応答時間の分散とのうちの少なくとも１つを用いて前記データベースに含めるために提供するための手段と
を備える、請求項１７に記載のデバイス。
【請求項１９】
前記得ることが、前記データを得るためにデータベースに問い合わせることを備える、請求項１７に記載のデバイス。
【請求項２０】
応答時間の比較的低い分散が比較的高い重みに対応し、応答時間の比較的高い分散が比較的低い重みに対応する、請求項１８に記載のデバイス。
【請求項２１】
前記情報が、前記アクセスポイントに対応する識別子、前記アクセスポイントに対応するＭＡＣアドレス、または前記アクセスポイントに対応するメーカー情報のうちの少なくとも１つを備える、請求項１８に記載のデバイス。
【請求項２２】
前記応答時間が、信号時間と処理時間とを備え、ここにおいて、応答時間の前記分散は前記処理時間の分散に起因する、請求項１７に記載のデバイス。
【請求項２３】
前記処理時間の前記分散が、標準偏差計算を使用して決定される、請求項２２に記載のデバイス。
【請求項２４】
前記計算に少なくとも部分的に基づいて、前記デバイスの位置を決定することを備えるためのさらなる手段、請求項１７に記載のデバイス。
【請求項２５】
プロセッサに、
モバイルデバイスが、複数のアクセスポイントの各々に関連する応答時間の分散の尺度を備えるデータを得ることと、
前記モバイルデバイスが、距離決定のための通信信号で用いる前記複数のアクセスポイントのうちの少なくとも１つを選択することと、前記選択することが、前記得られたデータに基づいており、前記選択された少なくとも１つのアクセスポイントが、前記複数のアクセスポイント間で、１つまたは複数のアクセスポイントよりも応答時間の比較的低い分散を有する、
前記モバイルデバイスが、前記選択された少なくとも１つのアクセスポイントに通信信号を送信することと、
前記モバイルデバイスが、前記選択された少なくとも１つのアクセスポイントからの、前記通信信号に対する応答信号を受信することと、
前記モバイルデバイスが、前記通信信号と前記通信信号に対する前記応答信号とに基づいて決定された往復時間に基づいて、前記デバイスから、前記選択された少なくとも１つのアクセスポイントまでの距離を計算することと
を行わせるように構成されたプロセッサ可読命令を備える、プロセッサ可読非一時的媒体。
【請求項２６】
前記命令が、前記プロセッサにデータベースに含めるためのデータを提供させるようにさらに構成され、前記提供することは、
前記モバイルデバイスから、１つまたは複数のアクセスポイントに複数の通信信号を送信することと、
前記１つまたは複数のアクセスポイントからの、前記複数の通信信号の各々に対する応答信号を受信することと、
前記モバイルデバイスが、前記少なくとも１つのアクセスポイントに関する情報と、割り当てられた重みと、応答時間の分散とのうちの少なくとも１つを前記データベースに含めるために提供することと
を備える、請求項２５に記載のプロセッサ可読非一時的媒体。
【請求項２７】
前記得ることが、前記データを得るためにデータベースに問い合わせることを備える、請求項２５に記載のプロセッサ可読非一時的媒体。
【請求項２８】
応答時間の比較的低い分散が比較的高い重みに対応し、応答時間の比較的高い分散が比較的低い重みに対応する、請求項２６に記載のプロセッサ可読非一時的媒体。
【請求項２９】
前記情報が、前記アクセスポイントに対応する識別子、前記アクセスポイントに対応するＭＡＣアドレス、または前記アクセスポイントに対応するメーカー情報のうちの少なくとも１つを備える、請求項２６に記載のプロセッサ可読非一時的媒体。
【請求項３０】
前記応答時間が、信号時間と処理時間とを備え、ここにおいて、応答時間の前記分散は前記処理時間の分散に起因する、請求項２５に記載のプロセッサ可読非一時的媒体。
【請求項３１】
前記処理時間の前記分散が、標準偏差計算を使用して決定される、請求項３０に記載のプロセッサ可読非一時的媒体。
【請求項３２】
前記命令が、前記計算に少なくとも部分的に基づいて、前記デバイスの位置を前記プロセッサに決定させるようにさらに構成される、請求項２５に記載のプロセッサ可読非一時的媒体。
【手続補正２】
【補正対象書類名】明細書
【補正対象項目名】０１０６
【補正方法】変更
【補正の内容】
【０１０６】
[0110]  様々な例について説明してきた。これらおよび他の例は、以下の特許請求の範囲の範囲内に入る。
以下に、本願出願の当初の特許請求の範囲に記載された発明を付記する。
［Ｃ１］
位置決定のためにＷｉ−Ｆｉアクセスポイントを選択するための方法であって、
前記少なくとも１つのアクセスポイントに関連する応答時間の分散の尺度に基づいて複数のアクセスポイントのうちの少なくとも１つを選択することと、
デバイスから、前記選択された少なくとも１つのアクセスポイントに通信信号を送信することと、
前記選択された少なくとも１つのアクセスポイントからの、前記通信信号に対する応答信号を受信することと、
前記通信信号に対する前記応答信号に関連する往復時間に基づいて、前記デバイスから、前記選択された少なくとも１つのアクセスポイントまでの距離を計算することと
を備える、方法。
［Ｃ２］
データベースを作成することをさらに備え、前記作成することが、
前記デバイスから、前記少なくとも１つのアクセスポイントに複数の通信信号を送信することと、
前記少なくとも１つのアクセスポイントからの、前記複数の通信信号の各々に対する応答信号を受信することと、
前記アクセスポイントの応答時間の前記分散を決定することと、ここにおいて、応答時間の前記分散は、前記送信するステップと前記受信するステップとの間の時間の分散に基づいている、
応答時間の前記分散に少なくとも部分的に基づいて前記少なくとも１つのアクセスポイントに重みを割り当てることと、
前記少なくとも１つのアクセスポイントに関する情報と、前記割り当てられた重みと、応答時間の前記分散とのうちの少なくとも１つを前記データベースに追加することとを備える、Ｃ１に記載の方法。
［Ｃ３］
前記選択することが、前記少なくとも１つのアクセスポイントを選択するために前記データベースに問い合わせることを備える、Ｃ２に記載の方法。
［Ｃ４］
応答時間の比較的低い分散が比較的高い重みに対応し、応答時間の比較的高い分散が比較的低い重みに対応する、Ｃ２に記載の方法。
［Ｃ５］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ２に記載の方法。
［Ｃ６］
前記応答時間が、信号時間と処理時間とを備え、ここにおいて、応答時間の前記分散は前記処理時間の分散に起因する、Ｃ１に記載の方法。
［Ｃ７］
前記処理時間の前記分散が、標準偏差計算を使用して決定される、Ｃ６に記載の方法。
［Ｃ８］
前記計算に少なくとも部分的に基づいて、前記デバイスの位置を決定することをさらに備える、Ｃ１に記載の方法。
［Ｃ９］
位置決定のためにＷｉ−Ｆｉアクセスポイントを選択するための装置であって、
通信信号を送信および受信するように構成されたトランシーバと、
前記トランシーバに結合されたプロセッサと
を備え、
前記プロセッサは、
前記少なくとも１つのアクセスポイントに関連する応答時間の分散の尺度に基づいて複数のアクセスポイントのうちの少なくとも１つを選択し、
前記トランシーバを介して、前記選択された少なくとも１つのアクセスポイントに通信信号を送信し、
前記トランシーバを介して、前記通信信号に対する応答信号を受信し、
前記通信信号に対する前記応答信号に関連する往復時間に基づいて、前記装置から、前記選択された少なくとも１つのアクセスポイントまでの距離を計算するように構成される、装置。
［Ｃ１０］
前記プロセッサが、データベースを作成するようにさらに構成され、前記作成することは、
前記トランシーバを介して、前記少なくとも１つのアクセスポイントに複数の通信信号を送信することと、
前記トランシーバを介して、前記複数の通信信号の各々に対する応答信号を受信することと、
前記アクセスポイントの応答時間の前記分散を決定することと、ここにおいて、応答時間の前記分散は、前記送信するステップと前記受信するステップとの間の時間の分散に基づいている、
応答時間の前記分散に少なくとも部分的に基づいて前記少なくとも１つのアクセスポイントに重みを割り当てることと、
前記少なくとも１つのアクセスポイントに関する情報と、前記割り当てられた重みと、応答時間の前記分散とのうちの少なくとも１つを前記データベースに追加することとを備える、Ｃ９に記載の装置。
［Ｃ１１］
前記選択することが、前記少なくとも１つのアクセスポイントを選択するために前記データベースに問い合わせることを備える、Ｃ１０に記載の装置。
［Ｃ１２］
応答時間の比較的低い分散が比較的高い重みに対応し、応答時間の比較的高い分散が比較的低い重みに対応する、Ｃ１０に記載の装置。
［Ｃ１３］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ１０に記載の装置。
［Ｃ１４］
前記応答時間が、信号時間と処理時間とを備え、ここにおいて、応答時間の前記分散は前記処理時間の分散に起因する、Ｃ９に記載の装置。
［Ｃ１５］
前記処理時間の前記分散が、標準偏差計算を使用して決定される、Ｃ１４に記載の装置。
［Ｃ１６］
前記プロセッサが、前記計算に少なくとも部分的に基づいて、前記装置の位置を決定するようにさらに構成される、Ｃ９に記載の装置。
［Ｃ１７］
位置決定のためにＷｉ−Ｆｉアクセスポイントを選択するための方法であって、
前記少なくとも１つのアクセスポイントに関連する応答時間の分散の尺度に基づいて複数のアクセスポイントのうちの少なくとも１つを選択するための手段と、
デバイスから、前記選択された少なくとも１つのアクセスポイントに通信信号を送信するための手段と、
前記選択された少なくとも１つのアクセスポイントからの、前記通信信号に対する応答信号を受信するための手段と、
前記通信信号に対する前記応答信号に関連する往復時間に基づいて、前記デバイスから、前記選択された少なくとも１つのアクセスポイントまでの距離を計算するための手段と
を備える、方法。
［Ｃ１８］
データベースを作成するための手段をさらに備える方法であって、作成するための前記手段が、
前記デバイスから、前記少なくとも１つのアクセスポイントに複数の通信信号を送信するための手段と、
前記少なくとも１つのアクセスポイントからの、前記複数の通信信号の各々に対する応答信号を受信するための手段と、
前記アクセスポイントの応答時間の前記分散を決定するための手段と、ここにおいて、応答時間の前記分散は、前記送信するステップと前記受信するステップとの間の時間の分散に基づいている、
応答時間の前記分散に少なくとも部分的に基づいて前記少なくとも１つのアクセスポイントに重みを割り当てるための手段と、
前記少なくとも１つのアクセスポイントに関する情報と、前記割り当てられた重みと、応答時間の前記分散とのうちの少なくとも１つを前記データベースに追加するための手段とを備える、Ｃ１７に記載の方法。
［Ｃ１９］
前記選択することが、前記少なくとも１つのアクセスポイントを選択するために前記データベースに問い合わせることを備える、Ｃ１８に記載の方法。
［Ｃ２０］
応答時間の比較的低い分散が比較的高い重みに対応し、応答時間の比較的高い分散が比較的低い重みに対応する、Ｃ１８に記載の方法。
［Ｃ２１］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ１８に記載の方法。
［Ｃ２２］
前記応答時間が、信号時間と処理時間とを備え、ここにおいて、応答時間の前記分散は前記処理時間の分散に起因する、Ｃ１７に記載の方法。
［Ｃ２３］
前記処理時間の前記分散が、標準偏差計算を使用して決定される、Ｃ２２に記載の方法。
［Ｃ２４］
前記計算に少なくとも部分的に基づいて、前記デバイスの位置を決定することを備えるためのさらなる手段、Ｃ１７に記載の方法。
［Ｃ２５］
プロセッサに、
前記少なくとも１つのアクセスポイントに関連する応答時間の分散の尺度に基づいて複数のアクセスポイントのうちの少なくとも１つを選択させ、
デバイスから、前記選択された少なくとも１つのアクセスポイントに通信信号を送信させ、
前記選択された少なくとも１つのアクセスポイントからの、前記通信信号に対する応答信号を受信させ、
前記通信信号に対する前記応答信号に関連する往復時間に基づいて、前記デバイスから、前記選択された少なくとも１つのアクセスポイントまでの距離を計算させるように構成されたプロセッサ可読命令を備える、プロセッサ可読非一時的媒体。
［Ｃ２６］
前記命令が、前記プロセッサにデータベースを作成させるようにさらに構成され、前記作成することは、
前記デバイスから、前記少なくとも１つのアクセスポイントに複数の通信信号を送信することと、
前記少なくとも１つのアクセスポイントからの、前記複数の通信信号の各々に対する応答信号を受信することと、
前記アクセスポイントの応答時間の前記分散を決定することと、ここにおいて、応答時間の前記分散は、前記送信するステップと前記受信するステップとの間の時間の分散に基づいている、
応答時間の前記分散に少なくとも部分的に基づいて前記少なくとも１つのアクセスポイントに重みを割り当てることと、
前記少なくとも１つのアクセスポイントに関する情報と、前記割り当てられた重みと、応答時間の前記分散とのうちの少なくとも１つを前記データベースに追加することとを備える、Ｃ２５に記載のプロセッサ可読非一時的媒体。
［Ｃ２７］
前記選択することが、前記少なくとも１つのアクセスポイントを選択するために前記データベースに問い合わせることを備える、Ｃ２６に記載のプロセッサ可読非一時的媒体。
［Ｃ２８］
応答時間の比較的低い分散が比較的高い重みに対応し、応答時間の比較的高い分散が比較的低い重みに対応する、Ｃ２６に記載のプロセッサ可読非一時的媒体。
［Ｃ２９］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ２６に記載のプロセッサ可読非一時的媒体。
［Ｃ３０］
前記応答時間が、信号時間と処理時間とを備え、ここにおいて、応答時間の前記分散は前記処理時間の分散に起因する、Ｃ２５に記載のプロセッサ可読非一時的媒体。
［Ｃ３１］
前記処理時間の前記分散が、標準偏差計算を使用して決定される、Ｃ３０に記載のプロセッサ可読非一時的媒体。
［Ｃ３２］
前記命令が、前記計算に少なくとも部分的に基づいて、前記デバイスの位置を前記プロセッサに決定させるようにさらに構成される、Ｃ２５に記載のプロセッサ可読非一時的媒体。
［Ｃ３３］
位置決定のためにＷｉ−Ｆｉアクセスポイントを選択するための方法であって、
前記アクセスポイントにおいてモバイルデバイスから通信信号を受信することと、ここにおいて、前記アクセスポイントは、前記アクセスポイントに関連する応答時間の分散の尺度に基づいて前記モバイルデバイスによる前記通信信号を受信するように選択される、
前記通信信号に対する応答信号を前記モバイルデバイスに送信することと、ここにおいて、前記モバイルデバイスは、前記通信信号に対する前記応答信号に関連する往復時間に基づいて前記モバイルデバイスから前記アクセスポイントまでの距離を計算するように構成される、を備える、方法。
［Ｃ３４］
前記アクセスポイントを選択することは、前記少なくとも１つのアクセスポイントに関する情報と、前記アクセスポイントの割り当てられた重みと、応答時間の前記分散とのうちの少なくとも１つを備えるデータベースに問い合わせることを備える、Ｃ３３に記載の方法。
［Ｃ３５］
前記応答時間が、信号時間と処理時間とを備え、ここにおいて、応答時間の前記分散は前記処理時間の分散に起因する、Ｃ３３に記載の方法。
［Ｃ３６］
位置決定のためにＷｉ−Ｆｉアクセスポイントを選択するための装置であって、
通信信号を送信および受信するように構成されたトランシーバと、
前記トランシーバに結合されたプロセッサと
を備え、
前記プロセッサは、
前記トランシーバを介してモバイルデバイスから通信信号を受信することと、ここにおいて、前記アクセスポイントは、前記アクセスポイントに関連する応答時間の分散の尺度に基づいて前記モバイルデバイスによる前記通信信号を受信するように選択される、
前記通信信号に対する応答信号を前記トランシーバを介して送信することと、ここにおいて、前記モバイルデバイスは、前記通信信号に対する前記応答信号に関連する往復時間に基づいて前記モバイルデバイスから前記アクセスポイントまでの距離を計算するように構成される、を行うように構成される、装置。
［Ｃ３７］
前記アクセスポイントを選択することは、前記少なくとも１つのアクセスポイントに関する情報と、前記アクセスポイントの割り当てられた重みと、応答時間の前記分散とのうちの少なくとも１つを備えるデータベースに問い合わせることを備える、Ｃ３６に記載の装置。
［Ｃ３８］
前記応答時間が、信号時間と処理時間とを備え、ここにおいて、応答時間の前記分散は前記処理時間の分散に起因する、Ｃ３６に記載の装置。
［Ｃ３９］
位置決定のためにＷｉ−Ｆｉアクセスポイントを選択するための方法であって、
前記アクセスポイントにおいてモバイルデバイスから通信信号を受信するための手段と、ここにおいて、前記アクセスポイントは、前記アクセスポイントに関連する応答時間の分散の尺度に基づいて前記モバイルデバイスによる前記通信信号を受信するように選択される、
前記通信信号に対する応答信号を前記モバイルデバイスに送信するための手段と、ここにおいて、前記モバイルデバイスは、前記通信信号に対する前記応答信号に関連する往復時間に基づいて前記モバイルデバイスから前記アクセスポイントまでの距離を計算するように構成される、を備える、方法。
［Ｃ４０］
前記アクセスポイントを選択することは、前記少なくとも１つのアクセスポイントに関する情報と、前記アクセスポイントの割り当てられた重みと、応答時間の前記分散とのうちの少なくとも１つを備えるデータベースに問い合わせることを備える、Ｃ３９に記載の方法。
［Ｃ４１］
前記応答時間が、信号時間と処理時間とを備え、ここにおいて、応答時間の前記分散は前記処理時間の分散に起因する、Ｃ３９に記載の方法。
［Ｃ４２］
プロセッサに、
前記アクセスポイントにおいてモバイルデバイスから通信信号を受信させることと、ここにおいて、前記アクセスポイントは、前記アクセスポイントに関連する応答時間の分散の尺度に基づいて前記モバイルデバイスによる前記通信信号を受信するように選択される、
前記通信信号に対する応答信号を前記モバイルデバイスに送信させることと、ここにおいて、前記モバイルデバイスは、前記通信信号に対する前記応答信号に関連する往復時間に基づいて前記モバイルデバイスから前記アクセスポイントまでの距離を計算するように構成される、を行うように構成されたプロセッサ可読命令を備える、プロセッサ可読非一時的媒体。
［Ｃ４３］
前記アクセスポイントを選択することは、前記少なくとも１つのアクセスポイントに関する情報と、前記アクセスポイントの割り当てられた重みと、応答時間の前記分散とのうちの少なくとも１つを備えるデータベースに問い合わせることを備える、Ｃ４２に記載のプロセッサ可読非一時的媒体。
［Ｃ４４］
前記応答時間が、信号時間と処理時間とを備え、ここにおいて、応答時間の前記分散は前記処理時間の分散に起因する、Ｃ４２に記載のプロセッサ可読非一時的媒体。
［Ｃ４５］
位置決定のためにＷｉ−Ｆｉアクセスポイントを選択するための方法であって、
デバイスから、アクセスポイントに複数の通信信号を送信することと、
前記アクセスポイントからの、前記複数の通信信号の各々に対する応答信号を受信することと、
前記アクセスポイントの応答時間の分散を決定することと、ここにおいて、応答時間の前記分散は、前記送信するステップと前記受信するステップとの間の時間の分散に基づいている、
応答時間の前記分散に少なくとも部分的に基づいて前記アクセスポイントに重みを割り当てることと、
前記アクセスポイントに関する情報と、前記割り当てられた重みと、応答時間の前記分散とのうちの少なくとも１つをデータベースに追加することとを備える、方法。
［Ｃ４６］
応答時間の前記分散が、標準偏差計算を使用して決定される、Ｃ４５に記載の方法。
［Ｃ４７］
前記応答時間が、信号時間と処理時間とを備え、ここにおいて、前記応答時間の変動性は前記処理時間の分散に起因する、Ｃ４５に記載の方法。
［Ｃ４８］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ４５に記載の方法。
［Ｃ４９］
位置決定のためにＷｉ−Ｆｉアクセスポイントを選択するための装置であって、
通信信号を送信および受信するように構成されたトランシーバと、
前記トランシーバに結合されたプロセッサと
を備え、
前記プロセッサは、
前記トランシーバを介して、アクセスポイントに複数の通信信号を送信することと、
前記トランシーバを介して、前記複数の通信信号の各々に対する応答信号を受信することと、
前記アクセスポイントの応答時間の分散を決定することと、ここにおいて、応答時間の前記分散は、前記送信するステップと前記受信するステップとの間の時間の分散に基づいている、
応答時間の前記分散に少なくとも部分的に基づいて前記アクセスポイントに重みを割り当てることと、
前記アクセスポイントに関する情報と、前記割り当てられた重みと、応答時間の前記分散とのうちの少なくとも１つをデータベースに追加することとを行うように構成される、装置。
［Ｃ５０］
応答時間の前記分散が、標準偏差計算を使用して決定される、Ｃ４９に記載の装置。
［Ｃ５１］
前記応答時間が、信号時間と処理時間とを備え、ここにおいて、前記応答時間の変動性は前記処理時間の分散に起因する、Ｃ４９に記載の装置。
［Ｃ５２］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ４９に記載の装置。
［Ｃ５３］
位置決定のためにＷｉ−Ｆｉアクセスポイントを選択するための方法であって、
デバイスから、アクセスポイントに複数の通信信号を送信するための手段と、
前記アクセスポイントからの、前記複数の通信信号の各々に対する応答信号を受信するための手段と、
前記アクセスポイントの応答時間の分散を決定するための手段と、ここにおいて、応答時間の前記分散は、前記送信するステップと前記受信するステップとの間の時間の分散に基づいている、
応答時間の前記分散に少なくとも部分的に基づいて前記アクセスポイントに重みを割り当てるための手段と、
前記アクセスポイントに関する情報と、前記割り当てられた重みと、応答時間の前記分散とのうちの少なくとも１つをデータベースに追加するための手段とを備える、方法。
［Ｃ５４］
応答時間の前記分散が、標準偏差計算を使用して決定される、Ｃ５３に記載の方法。
［Ｃ５５］
前記応答時間が、信号時間と処理時間とを備え、ここにおいて、前記応答時間の変動性は前記処理時間の分散に起因する、Ｃ５３に記載の方法。
［Ｃ５６］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ５３に記載の方法。
［Ｃ５７］
プロセッサに、
デバイスから、アクセスポイントに複数の通信信号を送信させることと、
前記アクセスポイントからの、前記複数の通信信号の各々に対する応答信号を受信させることと、
前記アクセスポイントの応答時間の分散を決定させることと、ここにおいて、応答時間の前記分散は、前記送信するステップと前記受信するステップとの間の時間の分散に基づいている、
応答時間の前記分散に少なくとも部分的に基づいて前記アクセスポイントに重みを割り当てさせることと、
前記アクセスポイントに関する情報と、前記割り当てられた重みと、応答時間の前記分散とのうちの少なくとも１つをデータベースに追加させることとを行うように構成されたプロセッサ可読命令を備える、プロセッサ可読非一時的媒体。
［Ｃ５８］
応答時間の前記分散が、標準偏差計算を使用して決定される、Ｃ５７に記載のプロセッサ可読非一時的媒体。
［Ｃ５９］
前記応答時間が、信号時間と処理時間とを備え、ここにおいて、前記応答時間の変動性は前記処理時間の分散に起因する、Ｃ５７に記載のプロセッサ可読非一時的媒体。
［Ｃ６０］
前記情報が、前記アクセスポイントに対応する識別子と、前記アクセスポイントに対応するＭＡＣアドレスと、前記アクセスポイントに対応するメーカー情報とのうちの少なくとも１つを備える、Ｃ５７に記載のプロセッサ可読非一時的媒体。